(57)【要約】      （修正有）【課題】隙間から尿が外に漏れて、尿でトイレ周りを、汚さないように、尿を遮蔽して塞ぎ、尿を便槽内に流し入れて、排尿された尿が便器から外へ漏れるのを防止する便器ガードカバーを提供する。【解決手段】洋式トイレ便器１及び便座本体２に枢着する、取り外しの自在の便座ガードカバー３であって、便座ガードカバー３は、便座本体２の上部面２ａ、または、洋式トイレ便器１の上部面１ａと便座本体２の下部面２ｂとの間に取り付けられる本体部と、本体部の中央に空けられた便座穴７と便座穴７の前方部で本体部に一本化された、便座ガードカバー壁３ａ、３ｂとを備えて、便座ガードカバー壁３ａ、３ｂの方向に向き腰を下ろし排尿する構造にする。【選択図】図１
0003191931.tif 000002
【実用新案登録請求の範囲】
【請求項１】
洋式トイレ便器（１）に便座本体（２）と便座ガ一ドカバ一（３）を設け、当該、便座本体（２）に枢着する、取り外し自在の便座ガド一カバ一（３）を設け、重ねて取り付けた、便座本体（２）と洋式トイレ便器（１）との隙間（４）から、尿が漏れ出ぬように便座ガ一ドカバ一（３）（３ａ）（３ｂ）の壁で防御させ、排尿された尿を便槽内（５）に流し込み、トイレ便器の周りを汚す事がないようにした、尿が便器の外に漏れ出ぬようにしたところを特徴とした。    便座ガ一ドカバ一、
【考案の詳細な説明】
【技術分野】
【０００１】本考案は便座ガ一ドカバ一（３）を洋式トイレ便器（１）の上面部に重ねた便座本体（２）と便座ガ一ドカバ一（３）を設けた、洋式トイレの便座に、関するものである。【０００２】男性が洋式トイレを使用する時、汚すからと便座に腰掛けて小用を行うことがある、洋式トイレ便器（１）に便座本体（２）が上に積み重なって取り付けられた、便座本体（２）と洋式トイレ便器（１）に取り付けられた隙間（４）から排尿された、尿が便器外に漏れ出てトイレの便器周りを汚すことがある。
【考案の開示】
【考案が解決しようとする課題】
【０００３】従来の便器では、男性が小用を行う場合、立って小用を済ませていたが、トイレの便器周り等を汚し、不衛星で悪臭の原因と毎回の掃除が大変だという事で、男性でも便座に腰掛けて、排尿をするようになった事で洋式トイレ便器の上に重ねて取り付けられた、便座本体（２）と洋式トイレ便器（１）との隙間（４）から尿が便器外に漏れ出てトイレの床などを汚していた、従って、便座本体（２）に便座ガ一ドカバ一（３）を取り付け一体化することで、安心して排尿ができ、尿が便器から外に漏れ出ぬように安全で清潔にトイレの使用できる、前述の欠点を解決しょうとするものである。
【課題を解決するための手段】
【０００４】本考案の便座ガ一ドカバ一は便座本体上面の型に形成され、便座ガ一ドカバ一の中央部は楕円形か半楕円形の便座穴（７）が開けられ、前方部に便座ガ一ドカバ一（３）と一体化された衝立のガ一ド壁（３ａ）（３ｂ）が設けられ、ガ一ド壁（３ｂ）下端の一部が便槽内（５）に挿入され、排泄された、尿が外に漏れ出ぬように、ガ一ドカバ一壁で遮蔽され、尿が便槽内部に流れ込む構造にした、便座ガ一ドカバ一（３）は便座本体（２）の上面部（２ａ）だけに装着する便座ガ一ドカバ一（３）と便座本体（２）の下面部（２ｂ）と洋式トイレ便器上面部（１ａ）との隙間（４）に取り付けられる、２種類の便座ガ一ドカバ一がある、便座本体（２）の形状によって、２種類の便座ガ一ドカバ一が使い分けられる様に成形した。
【考案の効果】
【０００５】本考案の便座ガ一ドカバ一（３）は、男性が排泄行為により、起立したまま、小用を行い洋式トイレ（１）の便器周りを汚し悪臭や不衛生で家族からも嫌がられ、男性でも便座に腰掛けて、排尿をするようになった、取り付けた便座本体（２）と洋式トイレ便器（１）との隙間（４）から尿がトイレ便器から外に漏れ出て仕舞い、毎回のトイレの床などの掃除は大変であった、２種類の機種がある、１ッ目［図２］のガ一ドカバ一を（３）使用する時、便座本体上部面（２ａ）に重ねて、取り付けられた、便座ガ一ドカバ一下部面と、便座本体上部面（２ａ）との間には両面テ一プ（６）で固定され、２ッ目［図１］の便座本体下部面（２ｂ）と洋式トイレ便器上部面（１ａ）との間に挟むように取り付けられた、便座ガ一ドカバ一（３）は両面粘着テ一プ（６）で便座ガ一ドカバ一（３）が固定され、便座本体（２）と洋式トイレ便器（１）を取り付けた隙間（４）を、便座ガ一ドカバ一の前方部にある、衝立のガ一ド壁（３）（３ａ）（３ｂ）が塞ぎ遮断して、尿を下の便槽内（５）に流れ落ちて溜め、水洗トイレの水流により、下水に流され、尿が便器の外に漏れ出ぬようにし、便器周りや床が尿で汚れ不衛生に成らぬようにした。    便座ガ一ドカバ一、
【考案の実施するための最良の形態】
【０００６】本考案の便座ガ一ドカバ一（３）は洋式トイレ便器（１）の上面の型に形成され，便座ガ一ドカバ一の中央部には、楕円形や半楕円形の便座穴（７）が開けられ、前方部に便座ガ一ドカバ一（３）と一体化された、衝立のガ一ドカバ一壁（３）（３ａ）（３ｂ）が形成された、便座ガ一ドカバ一（３）の素材はプラスチックス、シリコンゴム、防水性のボ一ル紙、塩化ビニ一ルなどを使用し、簡単に清掃や劣化時に、取り替える事ができ、比較的に安価で作る事が利点である。
【実施例】
【０００７】    以下、添付図面に従って実施例を説明する、
［図２］の便座ガ一ドカバ一は洋式トイレ便器（１）と便器の上部面（１ａ）に積み重ねられた上に取り付けられ、便座本体（２）と洋式トイレ便器（１）との隙間（４）を塞ぎ、便器外への、尿漏れを防ぐ、便座ガ一ドカバ一（３）である。
［図１］は便座ガ一ドカバ一（３）が洋式トイレ便器（１）の上部面（１ａ）と便座本体（２）の下部面（２ｂ）との間に取り付けられる、便座ガ一ドカバ一（３）との２種類が作成され、（３ａ）（３ｂ）は便座ガ一ドカバ一の衝立となる壁で、便座に腰掛け、排泄された尿が直接、壁に塞がれ便槽内（５）に流れ込むようにした、便座ガ一ドカバ一（３）である、素材はプラチックス、シリコンゴム、防水性ボ一ル紙、塩化ビ二一ル等にて，一体化に形成された、便座ガ一ドカバ一である。
【図面の簡単な説明】
【０００８】
【図１】本考案の便座ガ一ドカバ一が便座本体下部面に付けられた便座ガ一ドカバ一の実施例の断面図
【図２】便座ガ一ドカバ一が便座本体上部面に付けられた便座ガ一ドカバ一の実施例の断面図
【図３】便座ガ一ドカバ一が便座本体下部面に付けられる便座ガ一ドカバ一の正面図
【図４】便座ガ一ドカバ一が便座本体下部面に付けられる便座ガ一ドカバ一の断面図
【図５】便座ガ一ドカバ一が便座本体上部面に付けられる便座ガ一ドカバ一の正面図
【図６】便座ガ一ドカバ一が便座本体上部面に付けられる便座ガ一ドカバ一の断面図
【図７】便座ガ一ドカバ一が便座本体の下部面に付けられる楕円形の穴があけられた、便座ガ一ドカバ一の全形図
【図８】便座ガ一ドカバ一が便座本体の下部面に付けられる半楕円形の穴が開けられた、便座ガ一ドカバ一の全形図
【図９】便座ガ一ドカバ一が便座本体の下部面に付けられる楕円形の穴が開けられた、便座ガ一ドカバ一の全形図
【図１０】便座ガ一ドカバ一が便座本体の上部面に付けられる半楕円形の穴が開けられた、便座ガ一ドカバ一の全形図
【符号の説明】
【０００９】洋式トイレ便器                    〈１）
洋式トイレ便器  上部面            （１ａ）
便  座  本  体                    （２）
便  座  本  体  上部面            （２ａ）
便  座  本  体  下部面            （２ｂ）
便座ガ一ドカバ一                  （３）
便座ガ一ドカバ一上部壁            （３ａ）
便座ガ一ドカバ一下部壁            （３ｂ）
隙間                              （４）
便器槽                            （５）
両面テ一プ                        （６）
便器穴                            （７）
【図１】
0003191931.tif 000003
【図２】
0003191931.tif 000004
【図３】
0003191931.tif 000005
【図４】
0003191931.tif 000006
【図５】
0003191931.tif 000007
【図６】
0003191931.tif 000008
【図７】
0003191931.tif 000009
【図８】
0003191931.tif 000010
【図９】
0003191931.tif 000011
【図１０】
0003191931.tif 000012
【手続補正書】
【提出日】平成26年2月7日(2014.2.7)
【手続補正１】
【補正対象書類名】実用新案登録請求の範囲
【補正対象項目名】全文
【補正方法】変更
【補正の内容】
【実用新案登録請求の範囲】
【請求項１】
洋式トイレ便器（１）上面部の楕円形に似せて形成した便座本体（２）と取り外しの自在な便座ガードカバー（３）を設け洋式トイレ便器（１）と便座本体（２）上面部にそれぞれ重ねて装着され便座本体（２）と洋式トイレ便器（１）との隙間（４）から尿が漏れ出ぬ様に便座ガードカバー（３）の中央に開けられた便座穴（７）の前方部で一本化して圧着された垂直の衝立状の長四方形の壁を「便座ガードカバー上部壁（３ａ）」と「便座ガードカバー下部壁（３ｂ）」に分けた「便座ガードカバー（３）（３ａ）（３ｂ）壁」で尿を遮断し漏れを防御し「便座ガードカバー（３）（３ａ）（３ｂ）」壁の方向に向き腰を下ろし排尿された尿は便槽内（５）に流され下水管に流す構造にした便器の周りを汚す事のないように尿が便器の隙間から外に漏れ出ぬようにした
「ところを特徴とした便座ガードカバー」
【手続補正書】
【提出日】平成26年5月2日(2014.5.2)
【手続補正１】
【補正対象書類名】実用新案登録請求の範囲
【補正対象項目名】全文
【補正方法】変更
【補正の内容】
【実用新案登録請求の範囲】
【請求項１】
洋式トイレ便器（１）及び便座本体（２）に枢着する、取り外しの自在の便座ガードカバー（３）であって、
前記便座ガードカバー（３）は、前記便座本体（２）の上部面（２ａ）、または、前記洋式トイレ便器（１）の上部面（１ａ）と便座本体（２）の下部面（２ｂ）との間に取り付けられる本体部と、前記本体部の中央に空けられた便座穴（７）と前記便座穴（７）の前方部で前記本体部に一本化された、便座ガードカバー壁（３ａ、３ｂ）とを備えて、
前記便座ガードカバー壁（３ａ、３ｂ）の方向に向き腰を下ろし排尿する構造にしたことを特徴とする便座ガードカバー。